(57)【要約】【課題】記録紙を適切にガイド可能な記録紙ガイド機構を提案すること。【解決手段】ロール紙プリンター１のロール紙収納部１１のロール紙１２から引き出される記録紙１２ａに張力を付与する記録紙ガイド機構２６のテンションガイド２７は、その記録紙ガイド面２８に僅かに突出した突出ガイド面部分４２ａのみが実質的に記録紙１２ａを付勢した状態になる。突出ガイド面部分４２ａは搬送経路の幅寸法よりも狭い幅であり、その中央を基準として左右対称に形成されているので、搬送される記録紙１２ａの幅方向の中央部分を付勢した状態が形成される。突出ガイド面部分の幅を十分に狭い幅にしておけば、記録紙には幅方向の中央部分にのみ付勢力が作用するので、記録紙ガイド面２８の傾き、形状誤差に影響されて記録紙１２ａに作用する付勢力が左右でアンバランスになることを抑制でき、記録紙の蛇行、斜行を抑制できる。【選択図】図６
2010202305.tif 000002
【特許請求の範囲】
【請求項１】
記録紙を搬送経路に沿ってガイドする記録紙ガイド機構であって、
前記搬送経路の一部を規定する記録紙ガイド面を備えているテンションガイドと、
前記記録紙ガイド面が前記搬送経路に沿って搬送される記録紙に押し付けられる方向に
、前記テンションガイドを付勢している付勢部材と、
前記記録紙ガイド面から突出している突出ガイド面部分とを有しており、
当該突出ガイド面部分は、前記搬送経路の幅寸法よりも狭い幅であることを特徴とする
記録紙ガイド機構。
【請求項２】
前記突出ガイド面部分の幅寸法は、前記搬送経路の幅寸法のほぼ１／３以下であり、前
記突出ガイド面部分は、前記搬送経路の幅方向の中央を基準にしてほぼ左右対称に形成さ
れることを特徴とする請求項１に記載の記録紙ガイド機構。
【請求項３】
前記突出ガイド面部分は、前記搬送経路の幅方向に分離した状態で形成された複数の分
割突出ガイド面部分からなり、
前記突出ガイド面部分の前記幅寸法は、これら分割突出ガイド面部分の幅寸法の合計で
あることを特徴とする請求項１または２に記載の記録紙ガイド機構。
【請求項４】
前記突出ガイド面部分は、前記記録紙ガイド面の他の部分に比べて前記記録紙との間の
摩擦抵抗が小さな低摩擦面であることを特徴とする請求項１ないし３のうちのいずれかの
項に記載の記録紙ガイド機構。
【請求項５】
前記記録紙ガイド面は記録紙搬送方向に沿って湾曲している凸状湾曲面を含むことを特
徴とする請求項１ないし４のうちのいずれかの項に記載の記録紙ガイド機構。
【請求項６】
前記突出ガイド面部分は、少なくとも前記記録紙ガイド面の前記凸状湾曲面に形成され
ていることを特徴とする請求項５に記載の記録紙ガイド機構。
【請求項７】
ロール紙収納部と、
前記ロール紙収納部に収納されたロール紙から繰り出される長尺状の記録紙に印刷を行
う印刷ヘッドと、
前記印刷ヘッドの印刷位置を規定しているプラテンと、
前記プラテンに向けて前記記録紙を案内する記録紙ガイド機構とを有しており、
前記記録紙ガイド機構は請求項１ないし６のうちのいずれかの項に記載の記録紙ガイド
機構であることを特徴とするロール紙プリンター。
【請求項８】
前記記録紙ガイド機構と前記プラテンの間の搬送経路部分は、紙送りローラーと、この
紙送りローラーに押し付けられて連れ回りする第１紙押えローラーとによって規定されて
おり、
前記記録紙ガイド機構と前記ロール紙収納部の間の搬送経路部分は、繰り出しローラー
と、この繰り出しローラーに押し付けられて連れ回りする第２紙押えローラーとによって
規定されていることを特徴とするロール紙プリンター。
【発明の詳細な説明】
【技術分野】
【０００１】
本発明は、ロール紙収納部に収納されたロール紙から繰り出される長尺状の記録紙に印
刷を行うロール紙プリンター等に用いられる記録紙ガイド機構に関し、特に、記録紙の張
力に作用しながら当該記録紙を搬送経路に沿ってガイドする記録紙ガイド機構に関する。
【背景技術】
【０００２】
レシートなどを発行するロール紙プリンターでは、記録媒体として、長尺状の記録紙を
ロール状に巻き付けた構成のロール紙が用いられ、ロール紙収納部に収納されたロール紙
から記録紙を引き出して紙送りローラーを介して印刷位置に向けて搬送して印刷を行う。
ロール紙から引き出される記録紙から紙送りローラーに作用する送り負荷が変動すると、
記録紙と紙送りローラーの間に滑りが生じ、印刷位置を通過する記録紙の紙送り精度が低
下し、印刷品質の劣化につながるおそれがある。特に、ロール紙が巻き出しリールなどの
支軸によって支持されておらず、単に、ロール紙収納部の底面に転動可能な状態で置かれ
る投げ込み方式とよばれるロール紙収納部の場合には紙送り負荷変動が大きい。
【０００３】
そこで、記録紙の送り負荷変動を抑制するために、ロール紙から引き出されて印刷位置
に至る搬送経路の途中に、ばね力によって記録紙を付勢した状態に保持するテンションガ
イドが取り付けられる。ロール紙の側から記録紙に作用する張力が変動すると、それに伴
ってばね力によって付勢されているテンションガイドが移動して紙送りローラーの側に作
用する張力変動が緩和されるので、紙送りローラーによる紙送り精度の低下を防止できる
。特許文献１にはこのようなテンション部材を備えたプリンターが開示されている。
【先行技術文献】
【特許文献】
【０００４】
【特許文献１】特開２００７−９９４５８
【発明の概要】
【発明が解決しようとする課題】
【０００５】
ここで、テンションガイドは記録紙の送り負荷変動に応じて移動可能に支持されている
ので、その取付誤差など起因して幅方向に傾きが生ずることがある。また、テンションガ
イドのガイド面は記録紙を付勢するために凸状の屈曲面となっており、当該ガイド面が幅
方向において形状誤差が生ずることがある。テンションガイドに傾き、形状バラツキなど
があると、テンションガイドのガイド面と記録紙との間に発生する摩擦力が幅方向の両側
においてバラツキが生じ、記録紙の蛇行、斜行が発生するおそれがある。
【０００６】
特に、ロール紙プリンターにおいては、記録紙の幅方向の規制が、ロール紙収納部の収
納幅を規定している左右のガイド板のみによって行われ、ここから印刷位置を経由する搬
送経路上には幅方向の位置を規制するガイドが配置されていない場合が多い。したがって
、搬送経路の途中位置で左右の紙送り負荷にバラツキが発生すると、記録紙に蛇行、斜行
が発生しやすく、紙詰まり状態に陥るおそれもある。
【０００７】
本発明の課題は、この点に鑑みて、蛇行、斜行を引き起こすことなく記録紙に張力を付
与しながらガイドすることの可能な記録紙ガイド機構、および当該記録紙ガイド機構を備
えたロール紙プリンターを提案することにある。
【課題を解決するための手段】
【０００８】
上記の課題を解決するために、本発明は、記録紙を搬送経路に沿ってガイドする記録紙
ガイド機構であって、
前記搬送経路の一部を規定する記録紙ガイド面を備えているテンションガイドと、
前記記録紙ガイド面が前記搬送経路に沿って搬送される記録紙に押し付けられる方向に
、前記テンションガイドを付勢している付勢部材と、
前記記録紙ガイド面から突出している突出ガイド面部分とを有しており、
当該突出ガイド面部分は、前記搬送経路の幅寸法よりも狭い幅であることを特徴として
いる。
【０００９】
本発明の記録紙ガイド機構では、記録紙を付勢する記録紙ガイド面に突出ガイド面部分
を形成してあるので、実質的に当該突出ガイド面部分のみが記録紙に圧接される。突出ガ
イド面部分は搬送経路の幅寸法よりも狭い幅であり、搬送される記録紙の幅方向の一部を
付勢した状態が形成される。したがって、突出ガイド面部分の幅を十分に狭い幅にしてお
けば、記録紙に作用する付勢力が幅方向においてアンバランス状態に陥ることを防止ある
いは抑制できる。この結果、記録紙の蛇行、斜行を防止あるいは抑制できる。
【００１０】
ここで、前記突出ガイド面部分の幅寸法は、前記搬送経路の幅寸法の１／３以下となる
狭い幅にすることが望ましい。また、前記突出ガイド面部分は、前記搬送経路の幅方向の
中央を基準にしてほぼ左右対称に形成されることが望ましい。
【００１１】
その中央を基準として左右対称に形成されているので、搬送される記録紙の幅方向の中
央部分を狭い幅で付勢した状態が形成される。したがって、記録紙には、その幅方向の中
央部分にのみ付勢力が作用する。よって、記録紙ガイド面が幅方向において傾いている場
合、当該記録紙ガイド面が幅方向において形状にバラツキがある場合に、記録紙に作用す
る付勢力が幅方向の左右においてアンバランス状態に陥ることを防止あるいは抑制できる
。
【００１２】
また、前記突出ガイド面部分は、幅方向に連続した面とせずに、前記搬送経路の幅方向
において分離した状態で形成された複数の分割突出ガイド面部分とすることができる。こ
の場合においては、これら分割突出ガイド面部分の幅寸法の合計を、搬送経路の幅寸法よ
り小さくすればよく、また、搬送経路の幅寸法の１／３以下にすることが望ましい。
【００１３】
さらに、記録紙に付勢される突出ガイド面部分の幅を狭くすると、これらの間の単位面
積当たりの圧接力が大きくなるので、当該突出ガイド面部分を、前記記録紙ガイド面の他
の部分に比べて前記記録紙との間の摩擦抵抗が小さな低摩擦面にしておくことが望ましい
。
【００１４】
この場合、前記突出ガイド面部分を、前記記録紙ガイド面に積層した所定厚さの低摩擦
シートの表面によって規定することができる。
【００１５】
また、記録紙を付勢するための記録紙ガイド面を、記録紙搬送方向に沿って湾曲してい
る凸状の湾曲面を含むものとすることができる。
【００１６】
また、前記突出ガイド面部分は、少なくとも前記記録紙ガイド面の前記凸状湾曲面に形
成することができる。最も記録紙の張力が掛かる前記記録紙ガイド面の凸状湾曲面で、記
録紙と狭い幅で接することにより、より効果的に、記録紙に作用する付勢力が幅方向の左
右においてアンバランス状態に陥ることを防止あるいは抑制できる。
【００１７】
次に、本発明のロール紙プリンターは、
ロール紙収納部と、
前記ロール紙収納部に収納されたロール紙から繰り出される長尺状の記録紙に印刷を行
う印刷ヘッドと、
前記印刷ヘッドの印刷位置を規定しているプラテンと、
前記プラテンに向けて前記記録紙を案内する記録紙ガイド機構とを有しており、
前記記録紙ガイド機構として上記構成の記録紙ガイド機構を採用していることを特徴と
している。
【００１８】
この場合、ロール紙収納部が、記録紙が、支軸を中心として回転可能に支持されること
なく単に転動可能な状態に収納される投げ込み式のロール紙収納部の場合等においては、
前記記録紙ガイド機構と前記プラテンの間の搬送経路部分を、紙送りローラーと、この紙
送りローラーに押し付けられて連れ回りする第１紙押えローラーとによって規定し、前記
記録紙ガイド機構と前記ロール紙収納部の間の搬送経路部分を、繰り出しローラーと、こ
の繰り出しローラーに押し付けられて連れ回りする第２紙押えローラーとによって規定す
ることが望ましい。このようにすれば、繰り出しローラーおよび紙送りローラーの回転を
制御することにより、記録紙に弛みを発生させることなく適切な紙送り負荷の状態で記録
紙を印刷位置に向けて搬送することができる。
【発明の効果】
【００１９】
本発明の記録紙ガイド機構では、記録紙を付勢するための記録紙ガイドの記録紙ガイド
面の幅方向の中央部分に、幅の狭い突出ガイド面部分を形成し、突出ガイド面部分によっ
て記録紙を付勢できるようにしている。記録紙の幅方向の中央部分のみを付勢しているの
で、記録紙ガイド面が幅方向に傾いている場合、その面形状が幅方向においてバラツキが
ある場合に、付勢力によって生ずる記録紙幅方向の紙送り負荷が幅方向においてアンバラ
ンス状態になることを防止あるいは抑制できる。よって、記録紙を、蛇行、斜行させるこ
となく搬送経路に沿って直線状に搬送できる。
【００２０】
特に、本発明の記録紙ガイド機構は、ロール紙収納部から印刷位置までの間の搬送経路
において記録紙の幅方向を規制するためのガイドが備わっていないロール紙プリンターな
どに用いるのに適している。
【図面の簡単な説明】
【００２１】
【図１】本発明を適用したロール紙プリンターの斜視図である。
【図２】開閉蓋を全開にした状態のロール紙プリンターの斜視図である。
【図３】ロール紙プリンタの内部構造を示すための概略縦断面図である。
【図４】開閉蓋を全開にした状態のロール紙プリンタの概略縦断面図である。
【図５】ロール紙プリンターの紙送り系を示す説明図である。
【図６】記録紙ガイド機構のテンションガイドを示す斜視図である。
【発明を実施するための形態】
【００２２】
以下に、図面を参照して本発明の記録紙ガイド機構を備えたロール紙プリンターの実施
の形態を説明する。
【００２３】
（全体構成）
図１は本発明を適用したインクジェット式のロール紙プリンターの外観斜視図であり、
図２はその開閉蓋を全開にした状態の外観斜視図である。ロール紙プリンター１は全体と
してほぼ直方体形状をしたプリンター本体２と、当該プリンター本体２の前面に取り付け
た開閉蓋３とを有している。プリンター本体２の外装ケース２ａの前面には所定幅の記録
紙排出口４が形成されている。記録紙排出口４の下側には排紙ガイド５が前方に突出して
おり、当該排紙ガイド５の側方には蓋開閉レバー６が配置されている。外装ケース２ａに
おける排紙ガイド５および蓋開閉レバー６の下側には、ロール紙出し入れ用の矩形の開口
部２ｂが形成されており、この開口部２ｂが開閉蓋３によって封鎖されている。
【００２４】
蓋開閉レバー６を操作すると開閉蓋３のロックが解除される。ロック解除後、排紙ガイ
ド５を前方に引くと、開閉蓋３は、当該開閉蓋３が取り付けられているリンク機構、たと
えば４節の平行リンク機構３Ａによって、その下端部を中心として前方にほぼ水平となる
まで開く。開閉蓋３が開くと、図２に示すように、プリンター内部に形成されているロー
ル紙収納部１１が開放状態となり、同時に、ロール紙収納部１１から記録紙排出口４に到
る記録紙搬送経路が開放状態となり、プリンター前方からロール紙の交換作業などを簡単
に行うことができるようになっている。
【００２５】
（内部構成）
図３はロール紙プリンター１の内部構造を示す概略縦断面図であり、図４は開閉蓋３を
全開状態にした場合の概略縦断面図である。ロール紙プリンター１の内部には、プリンタ
ー本体フレーム１０における幅方向の中央部分にロール紙収納部１１が形成されている。
ロール紙収納部１１はロール紙１２がプリンター幅方向に向いた横置き状態で転動可能に
収納される受け皿１３を備えており、その前側の部位にはプリンター幅方向に延びるガイ
ドローラー１４が取り付けられている。
【００２６】
ロール紙収納部１１の後側の上方位置には、プリンター本体フレーム１０によってプリ
ンター幅方向に水平に架け渡された繰り出しローラー１５が配置されており、この繰り出
しローラー１５には前側から紙押えローラー１６が押しつけられている。繰り出しローラ
ー１５はプリンター本体フレーム１０に取り付けられた繰り出しモーター１７によって回
転駆動される。紙押えローラー１６は支持レバー１８によって支持されており、支持レバ
ー１８は開閉蓋３の側に取り付けられており、開閉蓋３を開くと紙押えローラー１６が紙
送りローラー１６から離れるようになっている。
【００２７】
ロール紙収納部１１の上方には、プリンター本体フレーム１０の上端にヘッドユニット
フレーム２０が水平に取り付けられている。ヘッドユニットフレーム２０にはプリンター
幅方向にキャリッジガイド軸２１が水平に架け渡されている。キャリッジガイド軸２１に
沿って、インクジェットヘッド２２が下向き状態で搭載されているキャリッジ２３がプリ
ンター幅方向に往復移動可能となっている。キャリッジ２３は、公知のキャリッジ搬送機
構、例えば、キャリッジモータおよびタイミングベルトを備えたキャリッジ搬送機構によ
って、プリンター幅方向に往復移動される。
【００２８】
インクジェットヘッド２２の下側にはプリンター前後方向に水平に延びるプラテンフレ
ーム２４が配置されている。プラテンフレーム２４には、インクジェットヘッド２２に一
定のギャップで対峙しているプラテン２５がプリンター幅方向に水平に取り付けられてお
り、このプラテン２５によってインクジェットヘッド２２の印刷位置が規定されている。
【００２９】
プラテンフレーム２４の後端には記録紙ガイド機構２６が取り付けられている。記録紙
ガイド機構２６は、ロール紙収納部１１に収納されたロール紙１２から引き出される長尺
状の記録紙１２ａが架け渡されるテンションガイド２７を備えている。テンションガイド
２７は記録紙搬送方向に沿って凸曲面形状をしている記録紙ガイド面２８を備えている。
この記録紙ガイド面２８が記録紙１２ａに対して接近および離れる方向に移動できるよう
に、テンションガイド２７は、プラテンフレーム２４の後端においてプリンター幅方向に
水平に架け渡した支軸２９を中心として上下に旋回可能に取り付けられている。支軸２９
には捩じりばねなどの付勢部材３０が取り付けられており、この付勢部材３０によって、
テンションガイド２７の記録紙ガイド面２８が記録紙１２ａに付勢されている。
【００３０】
次に、プラテンフレーム２４におけるテンションガイド２７よりも前側の位置には、紙
送りローラー３１がプリンター幅方向に水平に架け渡されている。紙送りローラー３１に
は記録紙１２ａを介し、ヘッドユニットフレーム２０の側に取り付けられている紙押えロ
ーラー３２が所定の押圧力で上側から押し付けられている。プラテンフレーム２４におけ
るプラテン２５の前端側の部位には、前側紙送りローラー３３がプリンター幅方向に水平
に架け渡されている。この前側紙送りローラー３３には記録紙１２ａを介し、ヘッドユニ
ットフレーム２０の側に取り付けられている前側紙押えローラー３４が上側から押し付け
られている。
【００３１】
紙送りローラー３１および前側紙送りローラー３３は、ロール紙収納部１１の後側にお
いてプリンター本体フレーム１０に取り付けられている紙送りモーター３５によって駆動
される。本例では、プラテンフレーム２４に不図示の減速歯車列が搭載されており、この
減速歯車列を介して、紙送りモーター３５の回転力が紙送りローラー３１および前側紙送
りローラー３３に伝達され、これらのローラー３１、３３が同期回転する。
【００３２】
記録紙排出口４の近傍には、印刷後の記録紙１２ａの先端部分を幅方向に切断するオー
トカッター３６が配置されている。オートカッター３６によって記録紙１２ａは所定の長
さに切断されて、レシート、チケットなどとして発行される。
【００３３】
ここで、開閉蓋３の側には、プラテン２５、紙送りローラー３１、下流側紙送りローラ
ー３３、紙押えローラー１６、記録紙ガイド機構２６、およびオートカッター３６の一方
の刃が搭載されている。開閉蓋３を開くと、図４に示すように、ロール紙収納部１１から
記録紙排出口４に至る記録紙経路Ａ（図３において一点鎖線で示す経路）が開放状態にな
り、ロール紙交換作業、記録紙セット作業を簡単に行うことができる。
【００３４】
（紙送り動作）
この構成のロール紙プリンター１においては、ロール紙収納部１１に収納されているロ
ール紙１２から上方に引き出される記録紙１２ａは図３において太い一線鎖線で示すよう
に、繰り出しローラー１５および紙押えローラー１６の間を介して、記録紙ガイド機構２
６のテンションガイド２７に架け渡されて前方に屈曲させられた後に、紙送りローラー３
１および紙押えローラー３２の間、インクジェットヘッド２２とプラテン２５の間、およ
び、前側紙送りローラー３３および前側紙押えローラー３４の間を通って、記録紙排出口
４から外部に引き出された状態にセットされる。この状態では、記録紙１２ａによってテ
ンションガイド２７が下方に押し込まれ、付勢部材３０の付勢力によって記録紙１２ａは
所定の張力が付与された状態になる。
【００３５】
図５はロール紙プリンター１の紙送り系を示す説明図である。ロール紙プリンター１の
駆動制御部４１は、不図示のコンピュータシステムなどの上位機器からの指令に基づき各
部の駆動を制御する。印刷動作においては、紙送りモーター３５を駆動して紙送りローラ
ー３１および前側紙送りローラー３３を回転駆動すると共に、これに同期させて、繰り出
しモーター１７を回転駆動して、記録紙１２ａの搬送動作を行う。また、記録紙１２ａの
搬送に同期させてインクジェットヘッド２２を駆動して印刷位置を通過する記録紙１２ａ
の表面に印刷を施す。記録紙１２ａの幅方向への一連の行印刷が終了した後は、繰り出し
ローラー１５、紙送りローラ−３１および前側紙送りローラー３３が回転駆動されて、所
定ピッチだけ記録紙１２ａが送り出され、次の行の印刷が行われる。このように、記録紙
１２ａは、所定ピッチで間欠的に送り出されながらインクジェットヘッド２２によって印
刷が施される。
【００３６】
記録紙１２ａの送り動作が間欠的に行われると、ロール紙１２の慣性力などによって記
録紙１２ａの送り負荷が変動する。送り負荷の変動は、付勢部材３０によって付勢されて
いるテンションガイド２７が上下に旋回することによって抑制あるいは緩和される。した
がって、送り負荷の変動に起因して紙送り精度が低下し、印刷品質が低下してしまうとい
う弊害が解消される。
【００３７】
また、駆動制御部４１では印刷動作においては記録紙ガイド機構２６のガイドセンサー
３７からの検出信号をモニターしている。ガイドセンサー３７は、テンションガイド２７
の旋回位置を検出するためのものである。たとえば、記録紙１２ａが適切な張力状態の場
合にはセンサー出力はオフとされ、記録紙１２ａが弛んだ状態になり、テンションガイド
２７が付勢力によって大きく旋回した場合にはセンサー出力がオンに切り替わる。このよ
うなガイドセンサー３７の出力に基づき、記録紙１２ａが、弛みが生ずることなく一定の
張力状態で搬送されるように、紙送りローラー３１および前側紙送りローラー３３の駆動
に同期させて、ロール紙収納部側の繰り出しローラー１５の駆動を制御する。
【００３８】
印刷終了後においては、記録紙排出口４の近傍に配置されているオートカッター３６を
駆動して記録紙１２ａを切断する。これにより、記録紙排出口４からは、記録紙１２ａを
切断することによって得られる一定長さのレシート、チケットなどが発行されることにな
る。
【００３９】
（記録紙ガイド機構のテンションガイド）
図６（ａ）は記録紙ガイド機構２６のテンションガイド２７を取り出して示す斜視図で
ある。本例のテンションガイド２７は例えばプラスチック成形品であり、円弧状ガイド板
部分２７ａと、この両側に形成した側板部分２７ｂ、２７ｃとを備えており、側板部分２
７ｂ、２７ｃには、支軸２９の軸孔２７ｄ、２７ｅが形成されている。円弧状ガイド板部
分２７ａの外側表面が記録紙１２ａに付勢される記録紙ガイド面２８となっている。
【００４０】
記録紙ガイド面２８は記録紙搬送経路Ａ（図３、５参照）の幅に対応した幅Ｗ１となっ
ている。この記録紙ガイド面２８における幅方向の中央部分には、その幅方向の中心を基
準として左右対称となるように、一定幅Ｗ２で一定厚さの低摩擦シート４２が貼り付けら
れており、このシート表面が他の記録紙ガイド面２８よりも僅かに突出した突出ガイド面
部分４２ａとなっている。低摩擦シート４２は記録紙１２ａとの間の摩擦係数が記録紙ガ
イド面２８よりも小さな素材から形成されている。
【００４１】
例えば、搬送される記録紙１２ａの紙幅が３０ｍｍ〜１１４ｍｍの場合には、記録紙ガ
イド面２８はこの幅よりも大きな幅Ｗ１に設定される。これに対して、突出ガイド面部分
４２ａの幅Ｗ２は、幅Ｗ１の１／３以下の狭い幅に設定される。また、低摩擦シート４２
の厚さは０．６ｍｍ〜０．８ｍｍ程度に設定され、突出ガイド面部分４２ａは記録紙ガイ
ド面２８に対して同一量だけ突出した面とされる。
【００４２】
このように、テンションガイド２７には、記録紙１２ａを付勢する記録紙ガイド面２８
に、一段高い狭幅の突出ガイド面部分４２ａを形成してある。したがって、実質的に当該
突出ガイド面部分４２ａのみが記録紙１２ａに圧接される。突出ガイド面部分４２ａは搬
送経路の幅寸法よりも十分に狭い幅であり、その中央を基準として左右対称に形成されて
いるので、搬送される記録紙１２ａの幅方向の中央部分を付勢した状態が形成される。
【００４３】
したがって、突出ガイド面部分４２ａによって、記録紙１２ａには、その幅方向の中央
部分にのみ付勢力が作用する。よって、記録紙ガイド面２８が幅方向において傾いている
場合、当該記録紙ガイド面２８が幅方向において形状にバラツキがある場合に、記録紙１
２ａに作用する付勢力が幅方向の左右においてアンバランス状態に陥ることを防止あるい
は抑制できる。この結果、紙送りローラー３１によって引き出される記録紙１２ａの蛇行
、斜行を防止あるいは抑制できる。
【００４４】
なお、突出ガイド面部分４２ａを、低摩擦シート４２などの別部材を用いることなく、
記録紙ガイド面２８の中央部分に一体成形してもよい。また、突出ガイド面部分４２ａは
、連続した面とする代わりに、図６（ｂ）に示すように、幅方向において分離している複
数の狭い幅の分割突出ガイド面部分４３から構成してもよい。この場合においても、分割
突出ガイド面部分４３を、幅方向の中心を基準として左右対称に配置し、これらの分割突
出ガイド面部分の合計幅（２×Ｗ３）が記録紙搬送経路の幅Ｗ１の１／３以下になるよう
にすればよい。このような分割突出ガイド面部分は、たとえば、図６（ｃ）に示すように
、記録紙ガイド面２８に、その幅方向に所定間隔で一定高さの縦リブ４４を複数形成し、
それらの縦リブ４４の上端面４４ａによって規定することもできる。
【００４５】
また、上記の例では、テンションガイドとして円弧板状のものを用いているが、他の形
状としてもよいことは勿論であり、たとえば、ロール形状をしたテンションロールを用い
ることもできる。
【符号の説明】
【００４６】
１  ロール紙プリンター、２  プリンター本体、２ａ  外装ケース、３  開閉蓋、３Ａ  
平行リンク機構、４  記録紙排出口、５  排紙ガイド、６  蓋開閉レバー、１０  プリン
ター本体フレーム、１１  ロール紙収納部、１２  ロール紙、１２ａ  記録紙、１３  受
け皿、１４  ガイドローラー、１５  繰り出しローラー、１６  紙押えローラー、１７  
繰り出しモーター、１８  支持レバー、２０  ヘッドユニットフレーム、２１  キャリッ
ジガイド軸、２２  インクジェットヘッド、２３  キャリッジ、２４プラテンフレーム、
２５  プラテン、２６  記録紙ガイド機構、２７  テンションガイド、２７ａ  円弧状ガ
イド板部分、２７ｂ，２７ｃ  側板部分、２７ｄ、２７ｅ  軸孔、２８  記録紙ガイド面
、２９  支軸、３０  付勢部材、３１  紙送りローラー、３２  紙押えローラー、３３  
前側紙送りローラー、３４  前側紙押えローラー、３５  紙送りモーター、３６  オート
カッター、３７  ガイドセンサー、４１  駆動制御部、４２  低摩擦シート、４２ａ  突
出ガイド面部分、４３  分割突出ガイド面部分、Ａ  記録紙搬送経路
【図１】
2010202305.tif 000003
【図２】
2010202305.tif 000004
【図３】
2010202305.tif 000005
【図４】
2010202305.tif 000006
【図５】
2010202305.tif 000007
【図６】
2010202305.tif 000008